(57)【特許請求の範囲】
【請求項１】
吸気口と排気口を有する本体ケースと、この本体ケース内の加湿風路に設けた送風機と、前記加湿風路に設けた加湿容器と、の加湿容器内に注入される加湿水内に、その下端部が浸漬される網目状の加湿体とを備え、前記加湿体は、略環形状で、前記加湿容器内から上方に延びた複数の支持棒の外方に装着し、これら複数の支持棒に装着された状態で、前記加湿体の水平方向の距離が、前記加湿体の下部は上部に比べ長くなる構成として前記加湿体の下部の網目を上部の網目よりも大きくした加湿機。
【請求項２】
前記支持棒は、略円柱形状で、上部より下部の水平断面積が大きい構成である請求項１に記載の加湿機。
【請求項３】
前記支持棒の上下方向の長さは、前記加湿体の上下方向の長さより長い構成とした請求項１または２に記載の加湿機。
【請求項４】
前記加湿体は、２枚重ねした下部を縫い合わせ部とし、上部を非縫い合わせ部とした構成とし、前記加湿容器は、天面が開口した箱形状で前記支持棒と近傍の前記加湿容器の側面部との距離は、前記加湿体の厚さ方向の長さより短い構成とした請求項１から３のいずれかに記載の加湿機。
【発明の詳細な説明】
【技術分野】
【０００１】
本発明は、室内空気の加湿を行う加湿機に関するものである。
【背景技術】
【０００２】
従来、この種の加湿機は、以下のような構成となっていた。
【０００３】
すなわち、吸気口と排気口を有する本体ケースと、この本体ケース内の加湿風路に設けた送風機と、前記加湿風路に設けた加湿容器と、この加湿容器内の加湿水内に、その下端部が浸漬された網目状の加湿体とを備えた構成となっていた（例えば、これに類似する先行文献として下記特許文献１が存在する）。
【先行技術文献】
【特許文献】
【０００４】
【特許文献１】実開昭５３−１３０８６４号公報
【発明の概要】
【発明が解決しようとする課題】
【０００５】
上記従来例における課題は、加湿効果が低いということであった。
【０００６】
すなわち、従来例においては、加湿水を加湿体で吸い上げると共に、この加湿体の網目を送風機からの送風を通過させることで、この送風に湿気を搬送させることで加湿空気を得るようにしていた。
【０００７】
このような構成において、前記加湿体の下部は加湿水を吸い上げているので、多くの加湿水を含有している状態となっており、また、この加湿体の上部は、加湿水の一部が吸い上がっただけの状態で、その加湿水の含有量は少ない状態となっている。
【０００８】
しかしながら、従来例においては、この加湿体の上部も下部も一様に送風機からの送風を通過させるようになっており、このような構成とすると加湿効果が低くなってしまう。
【０００９】
そこで、本発明は、加湿効果を向上することを目的とするものである。
【課題を解決するための手段】
【００１０】
そして、この目的を達成するために、本発明は、吸気口と排気口を有する本体ケースと、この本体ケース内の加湿風路に設けた送風機と、前記加湿風路に設けた加湿容器と、の加湿容器内に注入される加湿水内に、その下端部が浸漬される網目状の加湿体とを備え、前記加湿体は、略環形状で、前記加湿容器内から上方に延びた複数の支持棒の外方に装着し、これら複数の支持棒に装着された状態で、前記加湿体の水平方向の距離が、前記加湿体の下部は上部に比べ長くなる構成として前記加湿体の下部の網目を上部の網目よりも大きくし、これにより初期の目的を達成するものである。
【発明の効果】
【００１１】
以上のように本発明は、吸気口と排気口を有する本体ケースと、この本体ケース内の加湿風路に設けた送風機と、前記加湿風路に設けた加湿容器と、この加湿容器内の加湿水内に、その下端部が浸漬された網目状の加湿体とを備え、前記加湿体は、略環形状で、前記加湿容器内から上方に延びた複数の支持棒の外方に装着し、これら複数の支持棒に装着された状態で、前記加湿体の水平方向の距離が、前記加湿体の下部は上部に比べ長くなる構成として前記加湿体の下部の網目を上部の網目よりも大きくしたものであり、加湿効果を向上することができる。
【００１２】
すなわち、本発明において、加湿容器内に注入される加湿水内に、その下端部が浸漬される網目状の加湿体を備え、この加湿体の下部の網目を上部の網目よりも大きくしたので、加湿体の上部より加湿体の下部の方が送風抵抗は小さくなり、その結果として、加湿体の上部より加湿体の下部の方が通過風量は大きくなる。ここで、加湿体の下端部が、加湿容器内の加湿水内に浸漬されるので、加湿体の含水量は、加湿体の下部の方が上部より多くなり、この含水量の多い加湿体の下部に、含水量の少ない加湿体の上部より多くの風量を通過させるので、加湿効果を向上することができるものである。
【図面の簡単な説明】
【００１３】
【図１】本発明の一実施形態の加湿機の使用状態を示した斜視図
【図２】同加湿機の分解斜視図
【図３】同加湿機の加湿運転時の断面図
【図４】同加湿機の加湿手段を示す概略図
【図５】同加湿機の加湿手段を示す概略図
【発明を実施するための形態】
【００１４】
以下、本発明の一実施形態を、添付図面を用いて説明する。
【００１５】
図１において、１は加湿機で、室内２の床３上に設置されるようになっている。
【００１６】
加湿機１は、図２、図３に示すように、前面側の吸気口４と、上面側の排気口５を有する箱型の本体ケース６を有する。
【００１７】
また、前記本体ケース６内の上下方向の中央部分には送風機７が設けられ、この送風機７の吸込側と前記本体ケース６の吸気口４の間には、吸気口４側から送風機７に向けて集塵フィルター８と、脱臭フィルター９が設置されている。
【００１８】
一方、前記本体ケース６内の下方（送風機７の下方）には加湿手段１０が設けられている。
【００１９】
この加湿手段１０は、加湿水１１が収納された上面が開口した加湿容器１２と、この加湿容器１２内の前記加湿水１１内に、その下端が浸漬された薄板状の加湿体１３と、前記加湿容器１２内に水を補給するための給水タンク１４とを有する。
【００２０】
送風機７はターボファンにて構成され、しかもその外周に送風ガイドを設けていないので、その全周方向が空気の吹出す方向となっている。
【００２１】
このような送風機７の吹出側から本体ケース６の排気口５の間には、この送風機７の吹出側から加湿手段１０を介して本体ケース６の排気口５を結ぶ加湿風路１５が形成されている。
【００２２】
なお、加湿風路１５の加湿体１３より下流の部分は、本体ケース６内の背面側に配置し、本体ケース６の排気口５は、この本体ケース６の上面側に開口させているので、本体ケース６の左右方向の薄型化が図れる。
【００２３】
上記構成において、図３に示しているように、送風機（ターボファン）７を駆動すると、本体ケース６の吸気口４から吸込まれた空気は、集塵フィルター８、脱臭フィルター９の順に通過し、通過する際に、集塵フィルター８においては、埃、アレルゲン等が濾し取られ、脱臭フィルター９においては、脱臭フィルター９内に充填された活性炭が臭気成分を吸着して、空気を浄化する。
【００２４】
そして、このように浄化された空気は次に送風機（ターボファン）７吸込側から吸込まれ、次にその全周の吹出側から吹き出され、その後、加湿手段１０を経由する加湿風路１５を通って、排気口５から室内２に吹き出される。ここで、送風機（ターボファン）７の吹出側から吹き出された空気は、加湿手段１０である加湿体１３を通過する。
【００２５】
そして、加湿体１３を通過する際に、この空気によって、加湿体１３に含まれる加湿水１１が気化し、空気が加湿される。
【００２６】
このように、浄化、加湿された空気が、排気口５から室内２に送風される。
【００２７】
本実施形態における特徴は、図４、５に示すように、加湿風路１５に設けた加湿容器１２内の加湿水１１内に、その下端部が浸漬された網目状の加湿体１３を備え、この加湿体１３の下部の網目１６を上部の網目１７よりも大きくした点である。
【００２８】
具体的には、加湿体１３は、略環形状で、加湿容器１２内から上方に延びた複数の支持棒１８の外方に装着し、加湿体１３の水平方向の距離は、加湿体１３の下部は上部に比べ長くなる構成である。つまり、略環形状の加湿体１３を加湿容器１２内から上方に延びた複数の支持棒１８の外方に、加湿体１３を左右方向に広げながら装着し、加湿体１３の下部は上部に比べ左右方向により広げられ装着されるもので、加湿体１３の下部は上部に比べ長くなるものである。結果として、加湿体１３の下部の網目１６は、上部の網目１７よりも左右方向に広げられ、網目の大きさも大きくなるものである。
【００２９】
すなわち、加湿容器１２内の加湿水１１内に、その下端部が浸漬された網目状の加湿体１３を備え、この加湿体１３の下部の網目１６を上部の網目１７よりも大きいので、加湿体１３の上部より加湿体１３の下部の方が送風抵抗は小さくなり、その結果として、加湿体１３の上部より加湿体１３の下部の方が送風機（ターボファン）７からの通過風量は大きくなる。
【００３０】
ここで、加湿体１３の下端部が、加湿容器１２内の加湿水１１内に浸漬されており、加湿体１３の含水量は、加湿体１３の下部の方が上部より多くなり、含水量の多い加湿体１３の下部の方が、含水量の少ない加湿体１３の上部より通過風量が大きくなるので、加湿効果を向上することができるものである。
【００３１】
また、支持棒１８は、略円柱形状で、上部より下部の水平断面積が大きいものである。つまり、支持棒１８は、上部より下部に向かうにつれて徐々に太くなるものである。
【００３２】
すなわち、略環形状の加湿体１３を略円柱形状で、上部より下部の水平断面積が大きい複数の支持棒１８の外方に装着すると、加湿体１３は上部から下部に向かうにつれて徐々に左右方向により広げられ装着されるものである。結果として、加湿体１３の網目の大きさも上部の網目１７から下部の網目１６に向かうにつれて徐々に大きくなり、加湿体１３の含水量も加湿体１３は上部から下部に向かうにつれて徐々に多くなるので、加湿体１３全体からバランス良く加湿することができ、加湿効果を向上することができるものである。
【００３３】
また、支持棒１８の上下方向の長さは、加湿体１３の上下方向の長さより長い構成としたものである。つまり、略環形状の加湿体１３を支持棒１８の外方に装着すると、加湿体１３の下部から上部まで確実に左右方向へ広げることができるものである。これにより、加湿体１３を取り外し、水洗い等のメンテナンス時に縮んだ場合にも、支持棒１８の外方に装着することにより、加湿体１３の下部から上部まで確実に左右方向へ広げられ、加湿体１３の網目の大きさも元の状態に戻すことができる。結果として、加湿体１３が縮んだ場合にも、安定した加湿量を確保することができるものである。
【００３４】
また、加湿体１３の網目形状は、垂直方向に２辺が延びた六角形で構成したものである。具体的には、加湿体１３は、垂直方向に２辺が延びた六角形の網目が隙間なく並んだものである。これにより、略環形状の加湿体１３を支持棒１８の外方に装着し、加湿体１３の下部から上部までを左右方向へ広げると、加湿体１３が伸縮性の無い糸で形成していても、六角形の網目の垂直方向に延びた２辺の間隔が広がりことにより、網目の開口面積が大きくなるものである。ここで、加湿体１３の下部は上部に比べ左右方向により広げられ装着されるので、結果として、加湿体１３の下部の網目１６は、上部の網目１７よりも左右方向に広げられ、網目の大きさも大きくなり、含水量の多い加湿体１３の下部の方が、上部より通過風量が大きくなるので、加湿効果を向上することができるものである。
【００３５】
また、加湿体１３の網目形状は、縦長六角形で構成したものである。具体的には、六角形の垂直方向に延びた２辺が、他の辺より長いものである。これにより、略環形状の加湿体１３を支持棒１８の外方に装着し、加湿体１３の下部から上部までを左右方向へ広げると、他の辺より長い六角形の垂直方向に延びた２辺の間隔が広がり網目の開口が大きくなるものである。これにより、加湿体１３の下部の網目１６の方が、上部の網目１７より、より大きくなり、含水量の多い加湿体１３の下部の方が上部より、より通過風量が大きくなるので、加湿効果を向上することができるものである。
【００３６】
また、加湿体１３は、２枚重ねで、下部を縫い合わせて、また上部は非縫い合わせ状態としている。また、加湿容器１２は、天面が開口した箱形状で、支持棒１８と近傍の加湿容器側面部１９との距離は、加湿体１３の厚さ方向の長さより短い構成としたものである。具体的には、加湿体１３は、加湿体１３ａを２枚重合わせたものであり、この２枚の加湿体１３ａの下部を縫い合わされて、１枚の加湿体１３を形成している。支持棒１８は、天面が開口した箱形状の加湿容器１２の底面から上方へ延びた２本の略円柱形状のものである。この支持棒１８は、加湿容器１２の略中央部で、対向した加湿容器側面部１９の近傍にそれぞれが位置するものである。ここで、支持棒１８と近傍の加湿容器側面部１９との距離は、加湿体１３の厚さ方向の長さより短い構成としたので、支持棒１８の外方に加湿体１３を装着すると、支持棒１８と近傍の加湿容器側面部１９との隙間が、加湿体１３によって埋められるので、支持棒１８と近傍の加湿容器側面部１９との間を通る空気も必ず加湿体１３を通過することとなる。また、加湿体１３は、２枚の加湿体１３ａの下部を縫い合わされて、１枚の加湿体１３を形成しているので、支持棒１８の外方に加湿体１３を装着する場合に、縫い合わされている部分を、支持棒１８の先端から装着していくこととなり、容易に装着できるものである。
【００３７】
また、送風機７は、加湿体１３より加湿風路１５の風上側上部に位置し、下方向へ送風する構成としたものである。具体的には、本体ケース６の吸気口４から吸込まれた空気は、集塵フィルター８、脱臭フィルター９の順に通過し、送風機（ターボファン）７吸込側から吸込まれ、次にその全周の吹出側から吹き出され、その後、加湿手段１０を経由する加湿風路１５を通って、排気口５から室内２に吹き出される。ここで、送風機７は、加湿体１３より加湿風路１５の風上側上部に位置するものであるので、送風機（ターボファン）７から下方向へ吹き出され、送風機（ターボファン）７から加湿体１３までの加湿風路１５で、主に加湿容器１２内の加湿水１１に当たることにより、送風方向は下方向から水平方向に変化する。つまり、加湿体１３の下部を通過する風量は、加湿体１３の上部より多くなる。すなわち、含水量の多い加湿体１３の下部の方が、上部より通過風量が大きくなるので、加湿効果を向上することができるものである。
【産業上の利用可能性】
【００３８】
以上のように本発明は、吸気口と排気口を有する本体ケースと、この本体ケース内の加湿風路に設けた送風機と、前記加湿風路に設けた加湿容器と、この加湿容器内の加湿水内に、その下端部が浸漬された網目状の加湿体とを備え、前記加湿体の下部の網目を上部の網目よりも大きくしたものであり、加湿効果を向上することができる。
【００３９】
すなわち、本発明において、加湿容器内の加湿水内に、その下端部が浸漬された網目状の加湿体を備え、この加湿体の下部の網目は上部の網目よりも大きいので、加湿体の上部より加湿体の下部の方が送風抵抗は小さくなり、その結果として、加湿体の上部より加湿体の下部の方が通過風量は大きくなる。ここで、加湿体の下端部が、加湿容器内の加湿水内に浸漬されており、加湿体の含水量は、加湿体の下部の方が上部より多くなり、含水量の多い加湿体の下部の方が、含水量の少ない加湿体の上部より通過風量が大きくなるので、加湿効果を向上することができるものである。
【００４０】
したがって、加湿機として極めて有用なものとなる。
【符号の説明】
【００４１】
１      加湿機
２      室内
３      床
４      吸気口
５      排気口
６      本体ケース
７      送風機
８      集塵フィルター
９      脱臭フィルター
１０    加湿手段
１１    加湿水
１２    加湿容器
１３    加湿体
１３ａ  加湿体
１４    給水タンク
１５    加湿風路
１６    下部の網目
１７    上部の網目
１８    支持棒
１９    加湿容器側面部
【図１】
0005531904.tif 000002
【図２】
0005531904.tif 000003
【図３】
0005531904.tif 000004
【図４】
0005531904.tif 000005
【図５】
0005531904.tif 000006